(57)【特許請求の範囲】
【請求項１】
パチンコ球を貯留する皿部を有する球受皿本体と、前記球受皿本体に設けられた回動支軸に軸通孔を挿通することにより回動自在に軸支され下面に押圧突起が設けられた球抜き操作部材と、前記球抜き操作部材の押圧突起と常に接触し該球抜き操作部材の回動と連動して回動し球抜き孔を直接的に又はスライド部材を介して開閉するレバー部材と、前記レバー部材を球抜き孔を閉止する位置に付勢する付勢部材とからなり、
前記回動支軸に挿通する前記球抜き操作部材の軸通孔を該回動支軸の直径より大きく形成して該球抜き操作部材を回動支軸と軸通孔の隙間の範囲内で移動自在なように設け、一方、前記球受皿本体に被係合部を有する規制片を設けると共に、前記球抜き操作部材には、球受皿本体の規制片に接触状に位置し、該球抜き操作部材の回動により前記レバー部材が球抜き孔を開放する位置まで移動すると該規制片との接触から外れる係合部を設け、前記規制片と前記係合部の接触が外れると前記球抜き操作部材が前記付勢部材の付勢により回動復帰しようとする前記レバー部材に押されて回動支軸と軸通孔との間の隙間によって移動し、該係合部が前記規制片の被係合部に係合して該レバー部材を前記球抜き孔を開放する位置に保持するようにしたことを特徴とするパチンコ遊技機における球受皿の球抜き装置。
【発明の詳細な説明】
【０００１】
【発明の属する技術分野】
本発明は、パチンコ遊技機の前面に取着される球受皿の球抜き装置に関し、特に球抜き孔を開放状態に保持し得るようにしたパチンコ遊技機における球受皿の球抜き装置に関するものである。
【０００２】
【従来の技術】
従来、球受皿の球抜き孔を開放状態に保持し得るようにしたパチンコ遊技機における球受皿の球抜き装置として、例えば特公平３−５３９５４号公報のものが知られている。
【０００３】
この従来の球受皿の球抜き装置は、球受皿の球抜き孔を開閉する摺動体と、球受皿の係合部に係脱自在なように設けられた係止部材と、係合部と係止部材との係合を外す押圧部材とを備え、係止部材を係合部に係合させることにより摺動体を球抜き孔を開放する位置に拘束すると共に、押圧部材を押圧操作して係合部と係止部材との係合を解除することにより摺動体を球抜き孔を閉止する位置に移動させるようになっていた。
【０００４】
【発明が解決しようとする課題】
上記した従来のパチンコ機における球受皿の球抜き装置は、摺動体，係止部材，押圧部材をそれぞれ付勢する付勢部材を必要とするため、部品点数が増加し、しかも構造が複雑で組立てに手間が掛かりコストアップにつながっていた。
【０００５】
本発明は、上記した問題点に鑑みてなされたもので、その目的とするところは、部品点数が少なく、かつ簡単な構造で球受皿の球抜き孔を開放状態に保持し得るようにしたパチンコ遊技機における球受皿の球抜き装置を提供することにある。
【０００６】
【課題を解決するための手段】
上記目的を達成するために、本発明のパチンコ遊技機における球受皿の球抜き装置は、パチンコ球を貯留する皿部を有する球受皿本体と、該球受皿本体に設けられた回動支軸に軸通孔を挿通することにより回動自在に軸支される球抜き操作部材と、該球抜き操作部材の回動により球抜き孔を直接的に又はスライド部材を介して開閉するレバー部材と、該レバー部材を球抜き孔を閉止する位置に付勢する付勢部材とからなり、前記回動支軸に挿通する球抜き操作部材の軸通孔を回動支軸の直径より大きく形成して該球抜き操作部材を回動支軸と軸通孔の隙間の範囲内で移動自在なように設け、一方、前記球受皿本体に被係合部を有する規制片を設けると共に、球抜き操作部材には、球受皿本体の規制片に接触状に位置し、かつ回動によりその接触から外れたとき付勢部材の付勢により被係合部に係合してレバー部材を球抜き孔を開放する位置に保持する係合部を設けるようにしたものである。
【０００７】
上記のように構成されたパチンコ遊技機における球受皿の球抜き装置は、球抜き操作部材の一方を指で押して回動するとレバー部材が付勢部材の付勢に抗して球抜き孔を開放する方向に回動される。そして、レバー部材が球抜き孔を開放する位置まで移動すると、球抜き操作部材が付勢部材の付勢により回動復帰しようとするレバー部材に押されて回動支軸と軸通孔との間の隙間により移動し、係合部が球受皿本体の被係合部に係合してレバー部材を球抜き孔を開放する位置に保持する。また、この状態で球抜き操作部材の他方を指で押して反対方向に回動すると係合部と被係合部との係合が外れ、これによりレバー部材が付勢部材の付勢により元の位置に回動して球抜き孔を閉止する。
【０００８】
なお、本発明のパチンコ遊技機における球受皿の球抜き装置は、パチンコ遊技機の前面枠の前面に設けられる打球供給用球受皿又は打球供給用球受皿の余剰球を貯留する下部球受皿のいずれにも適用可能である。
【０００９】
【発明の実施の形態】
次に、図面を参照して本発明の実施の形態について説明する。図１はパチンコ遊技機の正面図、図２は上部球受皿の斜視図、図３は上部球受皿の分解斜視図、図４はその要部拡大斜視図であり、１はパチンコ遊技機の機枠、２は機枠１の前面に開閉自在に装着された前面枠である。前面枠２は、ほぼ中央に窓孔が形成された額縁状に形成されており、該窓孔の上部にガラス扉３が、その下部に前面板４がそれぞれ開閉自在に設けられている。前記ガラス扉３の後方であり、前面枠２の窓孔の裏面部分には遊技盤５が着脱自在に取付けられている。この遊技盤５の前面には円状の誘導レール６が設けられており、その誘導レール６で囲まれる領域が遊技領域として構成されている。また、前記前面板４の前面には誘導レール６の発射位置にパチンコ球を供給する打球供給用の上部球受皿７が設けられており、前面枠２の前面下部には、上部球受皿７から溢出する余剰球を貯留する下部球受皿８が設けられている。
【００１０】
次に、図２ないし図４を参照して上部球受皿７の構成について説明する。上部球受皿７は、前面板４の前面に取付ける飾りベース９と、パチンコ球を貯留する皿部１０を有する球受皿本体１０ａと、該球受皿本体１０ａの前面を覆う装飾カバー１１とを一体に組付けて構成されている。前記皿部１０は、飾りベース９に開設した景品球排出口１２が臨む一端から他側端に向かって底面が緩るやかに下り傾斜すると共に、その下流側に誘導側壁１３を介して段状に高くした球圧受部１４と、該球圧受部１４の誘導側壁１３によって順次幅狭に形成されパチンコ球を一列に整列して流下させる整流通路１５が形成されている。この整流通路１５の終端には流路変更用ガイド１６と整流通路１５を流下するパチンコ球が上下に積み重なるのを防ぐ球均し板１７が設けられており、整流通路１５のパチンコ球を流路変更用ガイド１６により飾りベース９の供給口１８から前面板４の裏面側に流出させて図示しない打球供給装置に導くようになっている。また前記整流通路１５の終端底面には球抜き孔１９が開設されており、該球抜き孔１９の下方に下部球受皿８と連通する球抜通路２０が設けられている。
【００１１】
次に、図４ないし図６を参照して本発明の一実施の形態の球抜き装置について説明する。前記球抜き孔１９にはスライド部材２１が横方向へスライド自在に設けられている。このスライド部材２１には球抜き孔１９を開閉する平板状のシャッター部２１ａと係合ピン２１ｂが設けられている。また球抜き孔１９の前部位置には球抜き操作部材２２とレバー部材２３がそれぞれ設けられている。
【００１２】
前記球抜き操作部材２２は、長さのほぼ中間位置に軸通孔２４が設けられており、球受皿本体１０ａに突設された回動支軸２５に軸通孔２４を挿通して回動自在に軸支されている。前記軸通孔２４は、回動支軸２５の直径より大きな楕円孔として形成されており、球抜き操作部材２２が回動支軸２５と軸通孔２４との間の隙間の範囲内で自由に移動し得るように構成されている。また、球抜き操作部材２２の上面部分は、回動により上面壁１０ｂの開口２６から外方へ交互に突出する押圧部２７ａ，２７ｂを一体に有する山形状に形成されており、さらに両側面部２２ａ，２２ｂには球抜き操作部材２２の回動範囲を規制する当接突片２８ａ，２８ｂが設けられ、下面には押圧突起２９が設けられている。また、図５において左側の側面部２２ａには凸状の係合部３０が設けられている。この係合部３０は、レバー部材２３が球抜き孔１９を開放する位置に移動したとき、後述する被係合部に係合する個所である。
【００１３】
一方、前記球抜き操作部材２２の係合部３０に対応する開口２６の側縁部には、係合部３０を接触させて球抜き操作部材２２の移動を規制する規制片３１が設けられている。この規制片３１の係合部３０が接触する部分は円弧状曲面として形成されており、その下端部分はレバー部材２３が球抜き孔１９を開放する位置に移動したとき係合部３０が係合する被係合部３２とされている。
【００１４】
前記レバー部材２３は、上端が枢軸３３により回動自在に軸支されており、下端には縦長孔３４が形成されている。このレバー部材２３は、枢軸３３より上方の側面がテーパー状の係合面３５として形成されており、該係合面３５と球抜き操作部材２２の押圧突起２９とが常に接触状に位置されている。そして、レバー部材２３の縦長孔３４にスライド部材２１の係合ピン２１ｂが臨まされており、これによりレバー部材２３を介して球抜き操作部材２２とスライド部材２１とが連動可能なように構成されている。また、レバー部材２３には付勢部材としてのスプリング３６の一端が連結されている。このスプリング３６は図５における右方向、すなわちレバー部材２３を常にスライド部材２１のシャッター部２１ａが球抜き孔１９を閉止する方向に付勢するようになっている。このとき球抜き操作部材２２の一方の押圧部２７ａが上面壁１０ｂの開口２６から外方へ突出されている。なお、前記レバー部材２３の係合面３５には垂直段部３７が形成されている。この垂直段部３７は球抜き操作部材２２を横方向へ移動させて係合部３０と規制片３１の被係合部３２との係合を確実にするためのものである。
【００１５】
次に、上記した球受皿の球抜き装置の作用について図５及び図６を参照して説明すると、まず、図５実線で示すようにスライド部材２１のシャッター部２１ａが球抜き孔１９を閉止している状態において、球抜き操作部材２２の一方の押圧部２７ａを指で押すと、該球抜き操作部材２２が図５鎖線のように回動支軸２５を支点として反時計廻り方向に回動し、これの押圧突起２９でレバー部材２３の係合面３５を押動する。これによって、レバー部材２３がスプリング３６の付勢に抗して枢軸３３を中心に時計方向に回動し、スライド部材２１を左方向に摺動させて球抜き孔１９を開放する。なお、球抜き操作部材２２の回動時にはこれの係合部３０が規制片３１の円弧状曲面に接触して回動支軸２５と軸通孔２４との間の隙間による球抜き操作部材２２の移動が規制される。
【００１６】
一方、スライド部材２１のシャッター部２１ａが球抜き孔１９を開放する位置まで移動すると、図５鎖線のように球抜き操作部材２２の係合部３０が規制片３１の円弧状曲面から外れる。この状態で球抜き操作部材２２から指を離して押圧を解除すると、スプリング３６の付勢によるレバー部材２３の復帰回動力によりこれの係合面３５の垂直段部３７で球抜き操作部材２２の押圧突起２９が押されて該球抜き操作部材２２が回動支軸２５と軸通孔２４との間の隙間により横方向（図５において左方向）に移動し、図６実線で示すようにこれの係合部３０が規制片３１の被係合部３２に係合して球抜き操作部材２２をその回動位置に保持する。このため、球抜き操作部材２２の押圧部２７ａから指を離してもスライド部材２１は球抜き孔１９を開放した状態に保持されることになり、皿部１０のパチンコ球は球抜き孔１９から球抜き通路２０を通過して下部球受皿８に流出する。
【００１７】
次に、球抜き孔１９を閉止するには、図６において球抜き操作部材２２の他方の押圧部２７ｂを指で押すと、図６鎖線のように回動支軸２５と軸通孔２４との間の隙間により球抜き操作部材２２が右方向に移動して係合部３０が規制片３１の被係合部３２から外れる。このため、レバー部材２３がスプリング３６の付勢により枢軸３３を中心に反時計廻り方向に回動し、スライド部材２１が図５実線に示す元の位置に戻されてシャッター部２１ａにより球抜き孔１９が閉止される。なお、上記した実施の形態では、球抜き操作部材２２の軸通孔２４を楕円孔として示したが、回動支軸２５より大径の円孔であってもよい。
【００１８】
図７ないし図９は本発明に係る球抜き装置を下部球受皿８に適用した第２実施の形態を示すものである。この第２実施の形態の球抜き装置が第１実施の形態の球抜き装置と異なるところは、主として球抜き孔を開閉するスライド部材を不要とした点であるため、第１実施の形態と同じ構造のものには同一符号を付して示している。これについて説明すると、下部球受皿８の皿部３８には球抜き孔３９が穿設されている。また、皿部３８の下面には皿状の支持枠４０がビス４１により固着されており、該支持枠４０には球抜き孔３９と相対する位置にほぼ同じ大きさの透孔４２が設けられている。そして、皿部３８と支持枠４０との間に挟まれるように球抜き操作部材２２とレバー部材４３が配設されている。このレバー部材４３は、支持枠４０に突設した枢軸４４により水平回動自在に軸支されており、かつ球抜き孔３９を開閉する幅広の板状部４３ａが一体に形成されている。すなわち、第２実施の形態のレバー部材４３においては、第１実施の形態のスライド部材２１とレバー部材２３とを一体として構成したものである。なお、球抜き操作部材２２は支持枠４０に突設した回動支軸２５により水平回動自在に軸支されており、その押圧部２７ａ，２７ｂが支持枠４０の開口部４５から交互に突出するようになっている。また、支持枠４０の開口部４５であり、かつ球抜き操作部材２２の係合部３０に対応する側縁には、係合部３０を接触させて球抜き操作部材２２の移動を規制する規制片４６が設けられており、該規制片４６の端部はレバー部材４３が球抜き孔３９を開放する位置に移動したとき、係合部３０が係合する被係合部４７とされている。
【００１９】
この第２実施の形態の球抜き装置は、図８に示すように球抜き孔３９が閉止されている状態において、第１実施の形態と同じように球抜き操作部材２２の一方の押圧部２７ａを指で押すと、これの押圧突起２９によりレバー部材４３の係合面３５が押されて該レバー部材４３が時計廻り方向に回動し図９に示すように球抜き孔３９を開放する。同時に球抜き操作部材２２の係合部３０が規制片４６の被係合部４７に係合し、レバー部材４３を球抜き孔３９を開放する位置に保持する。そして、図９において球抜き孔３９を閉止するには球抜き操作部材２２の他方の押圧部２７ｂを指で押し、係合部３０と被係合部４７との係合を解除することによりレバー部材４３がスプリング３６の付勢により回動されて図８に示す元の位置に戻されて球抜き孔３９が閉止される。この第２実施の形態の場合、第１実施の形態に較べてさらに部品点数を少なくすることができる。
【００２０】
【発明の効果】
以上、説明したところから明らかなように、本発明においては、操作部材を指で押すだけの簡単な操作で開閉部材を球抜き孔を開放する位置に保持し、又はその保持を解除して球抜き孔を閉止することができるので、球受皿に貯留されるパチンコ球の球抜き操作を極めて容易に行うことができる。
【００２３】
また、構造が簡単で従来の球抜き装置に較べて部品点数が少なくて済み、コストダウンを図ることができる。
【図面の簡単な説明】
【図１】本発明が適用されるパチンコ遊技機の正面図である。
【図２】本発明に係る球抜き装置が組込まれた上部球受皿の斜視図である。
【図３】図２の上部球受皿の分解斜視図である。
【図４】図２の上部球受皿の要部斜視図である。
【図５】球抜き孔を閉止した状態の要部正面図である。
【図６】球抜き孔を開放した状態の要部正面図である。
【図７】本発明の他の実施の形態を示すもので、下部球受皿の要部分解斜視図である。
【図８】図７の実施の形態の球抜き孔を閉止した状態の要部平面図である。
【図９】図７の実施の形態の球抜き孔を開放した状態の要部平面図である。
【符号の説明】
１０      皿部
１０ａ    球受皿本体
１９      球抜き孔
２１      開閉部材
２２      球抜き操作部材
２３      レバー部材
２４      軸通孔
２５      回動支軸
３０      係合部
３１      規制片
３２      被係合部
３６      スプリング（付勢部材）
【図１】
0004157612.tif 000002
【図２】
0004157612.tif 000003
【図３】
0004157612.tif 000004
【図４】
0004157612.tif 000005
【図５】
0004157612.tif 000006
【図６】
0004157612.tif 000007
【図７】
0004157612.tif 000008
【図８】
0004157612.tif 000009
【図９】
0004157612.tif 000010